【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
以下の一般式（A’）の少なくとも1つのポリシロキサンであって、
【化１】
2018526485.tif 000001
または
【化２】
2018526485.tif 000002
各R1は同じかまたは異なり、非置換または置換C1-20アルキル、C2-20アルケニル、C3-20シクロアルキル、C6-20アリール、C7-20アリールアルキル基、またはポリオキシアルキレン鎖を表し、
XおよびYは、同じであってもよく、または異なってもよく、(CR"2)x'-OH,(CR"2)x'COOH,(CR"2)x'COORまたは-(CR"2)x'-(OR11)a-(OR11)b-OHを表し、
R"は、独立して、C1-6アルキルまたはHであり得、
x’は1〜10であり、
RはC1-20アルキル、C2-20アルケニル、C3-20シクロアルキル、C6-20アリール、C7-20アリールアルキル基であり、
R11は各々独立してC2-6アルキレンであり、a=0〜50、b=0〜50かつa+b=1〜50であり、
nは1〜500であり、
または、n'+mが1〜500になる、少なくとも1つのポリシロキサンと、
以下（i）の式のモノマーであり、
【化３】
2018526485.tif 000003
または
【化４】
2018526485.tif 000004
各R1は同じかまたは異なり、非置換または置換C1-20アルキル、C2-20アルケニル、C3-20シクロアルキル、C6-20アリール、C7-20アリールアルキル基、またはポリオキシアルキレン鎖を表し、
XおよびYは、同じであってもよく、または異なってもよく、(CR"2)x'-OH,(CR"2)x'COOH,(CR"2)x'COORまたは-(CR"2)x'-(OR11)a-(OR11)b-OHを表し、
R"は、独立して、C1-6アルキルまたはHであり得、
x’は1〜10であり、
RはC1-20アルキル、C2-20アルケニル、C3-20シクロアルキル、C6-20アリール、C7-20アリールアルキル基であり、
R11は各々独立してC2-6アルキレンであり、
a=0〜50、b=0〜50かつa+b=1〜50であり、
nは1〜500であり、
またはn'+mが1〜500になる、モノマー、あるいは以下（ii）の式のモノマーであり、
W-Q-Z    B’
WおよびZは各々独立してRcOOC,RcOCOO-,RcCOOCO,-COOHまたはOHであり、
Qは20個までの炭素原子を有する脂肪族、シクロアルキル、シクロアルケニル、ポリオキシアルキレン、アミンエーテルもしくは芳香族基であり、または、Qは-O-もしくは共有結合であり、
各Rcは同じかまたは異なり、H、C1-20アルキル、C2-20アルケニル、C6-20アリール、C3-20シクロアルキルまたはC7-20アリールアルキル基を表し、
但し、モノマーB'中の前記WおよびZ基はモノマーA'中の前記X基およびY基と反応してエステル基を形成するように選択されることを条件とする、モノマー、
あるいは（iii）モノマーA'の前記X基およびY基と反応してエステルを形成する環状無水物である少なくとも1つの第2のモノマーB'との反応生成物を含む海洋コーティング組成物のための結合剤。
【請求項２】
以下の一般式（A’）の少なくとも1つのポリシロキサンであって、
【化５】
2018526485.tif 000005
または
【化６】
2018526485.tif 000006
各R1は同じかまたは異なり、非置換または置換C1-20アルキル、C2-20アルケニル、C3-20シクロアルキル、C6-20アリール、C7-20アリールアルキル基、またはポリオキシアルキレン鎖を表し、
XおよびYは、同じであってもよく、または異なってもよく、(CR"2)x'-OH,(CR"2)x'COOH,(CR"2)x'COORまたは-(CR"2)x'-(OR11)a-(OR11)b-OHを表し、
R"は、独立して、C 1-6アルキルまたはHであり得、
x’は1〜10であり、
RはC1-20アルキル、C2-20アルケニル、C3-20シクロアルキル、C6-20アリール、C7-20アリールアルキル基であり、
R11は各々独立してC2-6アルキレンであり、
a=0〜50、b=0〜50かつa+b=1〜50であり、
nは1〜500であり、
またはn'+mが1〜500になる、少なくとも1つのポリシロキサンと、
以下の式の少なくとも1つの第2のモノマーB’であって、
W-Q-Z    B’
WおよびZは各々独立してRcOOC-,RcOCOO-,RcCOOCO,-COOHまたはOHであり、
Qは20個までの炭素原子を有する脂肪族、シクロアルキル、シクロアルケニル、ポリオキシアルキレン、アミンエーテルもしくは芳香族基であり、または、Qは-O-もしくは共有結合であり、
各Rcは同じかまたは異なり、H、C1-20アルキル、C2-20アルケニル、C6-20アリール、C3-20シクロアルキルまたはC7-20アリールアルキル基を表し、
但し、モノマーB'中の前記W基およびZ基はモノマーA'中の前記X基およびY基と反応してエステル基を形成するように選択されることを条件とする、少なくとも1つの第2のモノマーB’との反応生成物を含む海洋コーティング組成物のための結合剤。
【請求項３】
以下の一般式（A’）の少なくとも1つのポリシロキサンであって、
【化７】
2018526485.tif 000007
または
【化８】
2018526485.tif 000008
各R1は同じかまたは異なり、非置換または置換C1-20アルキル、C2-20アルケニル、C3-20シクロアルキル、C6-20アリール、C7-20アリールアルキル基、またはポリオキシアルキレン鎖を表し、
XおよびYは、同じであってもよく、または異なってもよく、(CR"2)x'-OH,(CR"2)x'COOH,(CR"2)x'COORまたは-(CR"2)x'-(OR11)a-(OR11)b-OHを表し、
R"は、独立して、C1-6アルキルまたはHであり得、
x’は1〜10であり、
RはC1-20アルキル、C2-20アルケニル、C3-20シクロアルキル、C6-20アリール、C7-20アリールアルキル基であり、
R11は各々独立してC2-6アルキレンであり、
a=0〜50、b=0〜50かつa+b=1〜50であり、
nは1〜500であり、
またはn'+mが1〜500になる、少なくとも1つのポリシロキサンと、
ジカルボン酸またはジカルボン酸誘導体、またはジオールである少なくとも1つの第2のモノマーB’との反応生成物を含む海洋コーティング組成物のための結合剤であって、得られるポリマーの構造が-[ABAB]-であり、但し、モノマーA’中の前記X基およびY基はモノマーB’と反応してポリマー骨格中のエステル基を形成することを条件とする、結合剤。
【請求項４】
前記モノマーA’が以下の式のものであり、
【化９】
2018526485.tif 000009
x’は1〜10であり、
RはC1-6アルキルであり、
各R10およびR11は独立してC2-6アルキレンであり、
a=0〜50、b=0〜50かつa+b=1〜50であり、
nは1〜500であり
またはn'+mが1〜500になる、請求項1〜3のいずれか一項に記載の結合剤。
【請求項５】
前記ポリシロキサンA'は、式（A"）のものであり、
【化１０】
2018526485.tif 000010
式中、各R1はメチルであり、
XおよびYは同じであり、(CH2)x'-OH,-(CH2)x'-COOHまたは-(CH2)x'-COORを表し、
x’は1〜10であり、
RはC1-20アルキル基であり、
nは10-300である、請求項1〜4のいずれか一項に記載の結合剤。
【請求項６】
前記ポリシロキサンA'は、式（A2）のものであり、
【化１１】
2018526485.tif 000011
式中、各R1はメチルであり、
XおよびYは同じであり、(CH2)x'-OHまたは-(CH2)x'-COORを表し、
x’は1〜5であり、
RはC1-6アルキルであり、
nは10〜300である、請求項1〜5のいずれか一項に記載の結合剤。
【請求項７】
前記ポリシロキサンA'は、式（A3）のものであり、
【化１２】
2018526485.tif 000012
式中、各R1はメチルであり、
XおよびYは同じであり、（CH2）x'-OHを表し、
x’は1〜5であり、
nは15〜300である、請求項1〜6のいずれか一項に記載の結合剤。
【請求項８】
前記モノマーB’はRcOOC-Q-COORcであり、
式中、Qは20個までの炭素原子を有する脂肪族、シクロアルキル、シクロアルケニル、ポリオキシアルキレンまたは芳香族基または共有結合であり、
各Rcは同じかまたは異なり、H、C1-20アルキル、C2-20アルケニル、C6-20アリール、C3-20シクロアルキル基またはC7-20アリールアルキル基を表す、請求項1〜7のいずれか一項に記載の結合剤。
【請求項９】
前記モノマーB'は
RcOOC-Q-COORc
であり、式中、QはC1-6-アルキレン基であるか、またはQは共有結合であり、
各Rcは同じかまたは異なり、HまたはC1-20アルキルを表す、請求項1〜8のいずれか一項に記載の結合剤。
【請求項１０】
前記モノマーB'がシュウ酸ジエチル、コハク酸ジエチル、コハク酸ジメチル、グルタル酸ジメチル、グルタル酸ジエチル、アジピン酸ジメチルおよびアジピン酸ジエチルである、請求項1〜9のいずれか一項に記載の結合剤。
【請求項１１】
前記モノマーB'が以下の式のものであり、
【化１３】
2018526485.tif 000013
式中、Rdは、任意選択的にN、OおよびSからなる群から選択される1つまたは複数のヘテロ原子を含む、飽和、不飽和または芳香族のC3-C8環である、請求項1〜10のいずれか一項に記載の結合剤。
【請求項１２】
前記モノマーB'が以下の式のものであり、
【化１４】
2018526485.tif 000014
式中、Rdは、任意選択的にN、OおよびSからなる群から選択される1つまたは複数のヘテロ原子を含む、飽和、不飽和または芳香族のC3-C8環であり、式（B3）中のR3およびR4は、各々独立に、直鎖または分岐鎖のC1-20アルキル基；直鎖または分岐鎖のC2-10アルケニル基；C6-20アリール基、C7-20アリールアルキル基；およびC3-20シクロアルキル基である、請求項1〜11のいずれか一項に記載の結合剤。
【請求項１３】
前記モノマーB'がHO-Q-OHジオールであり、式中、Qは20個までの炭素原子を有する脂肪族、ポリオキシアルキレン、シクロアルキル、シクロアルケニルまたは芳香族基または共有結合である、請求項1〜12のいずれか一項に記載の結合剤。
【請求項１４】
前記モノマーB'が以下の式のものであり、
【化１５】
2018526485.tif 000015
式中、RfはC1-6アルキルまたはともに環を形成する2つのRfである、請求項1〜13のいずれか一項に記載の結合剤。
【請求項１５】
モノマーA’がポリジメチルシロキサンである、請求項1〜14のいずれか一項に記載の結合剤。
【請求項１６】
モノマーB'がポリジメチルシロキサンである、請求項1〜15のいずれか一項に記載の結合剤。
【請求項１７】
前記ポリシロキサンB'は、式（B2）のものであり、
【化１６】
2018526485.tif 000016
式中、各R1はメチルであり、
XおよびYは同じであり、(CH2)x'-OHまたは-(CH2)x'-COORを表し、
x’は1〜5であり、
RはC1-6アルキルであり、
nは10〜300である、請求項1〜16のいずれか一項に記載の結合剤。
【請求項１８】
モノマーA’およびB'が重合反応を受けて構造-[ABAB]-のコポリマーを形成する、請求項1〜17のいずれか一項に記載の結合剤。
【請求項１９】
XおよびYは同じであり、(CH2)x'-OH,(CH2)x'COOH,(CH2)x'COORまたは-(CH2)x'-(OR11)a-(OR11)b-OHを表し、Rは、C1-6アルキルである、請求項1〜18のいずれか一項に記載の結合剤。
【請求項２０】
Xおよび/またはYがカルビノール、すなわち（CH2）x'OHであるか、またはXおよび/またはYが（CH2）x'COOHまたは（CH2）x'COORであり、RはC1-6アルキルである、請求項1〜19のいずれか一項に記載の結合剤。
【請求項２１】
共重合体骨格がポリオキシアルキレン、PEGまたはPPGまたはそれらの共重合体を含む、請求項1〜20のいずれか一項に記載の結合剤。
【請求項２２】
WおよびZが同じである、請求項1〜21のいずれか一項に記載の結合剤。
【請求項２３】
XおよびYが同じである、請求項1〜22のいずれか一項に記載の結合剤。
【請求項２４】
前記結合剤は以下の反応によって形成され、
【化１７】
2018526485.tif 000017
式中、Qは共有結合、エチレンまたはn-ブチレン基であり、または、前記結合剤は以下の反応、すなわち、
【化１８】
2018526485.tif 000018
によって形成される、請求項1〜23のいずれか一項に記載の結合剤。
【請求項２５】
海洋コーティング組成物用の結合剤であって、前記結合剤は、以下の式の複数の単位を含むABAB型ポリシロキサンコポリマーであって、
【化１９】
2018526485.tif 000019
各R1は同じかまたは異なり、非置換または置換C1-20アルキル、C2-20アルケニル、C3-20シクロアルキル、C6-20アリール、C7-20アリールアルキル基、またはポリオキシアルキレン鎖を表し、
R"は、独立して、C1-6アルキルまたはHであり得、
x’は1〜10であり、
nは1〜500であり、Q1は、20個までの炭素原子を有する脂肪族、シクロアルキル、シクロアルケニルまたは芳香族基または共有結合であり、
Q2は、20個までの炭素原子を有する脂肪族、シクロアルキル、シクロアルケニル、ポリオキシアルキレンまたは芳香族基である、結合剤。
【請求項２６】
請求項1〜25のいずれか一項に記載の結合剤と、好ましくは防汚剤の非存在下で充填剤、顔料、溶媒、添加剤、硬化剤および触媒のうちの少なくとも1つとを含む、汚染物剥離性コーティング組成物。
【請求項２７】
請求項1〜25のいずれか一項に記載の結合剤と、少なくとも1つの抗汚剤とを含む、防汚コーティング組成物。
【請求項２８】
少なくとも1つの添加油をさらに含む、請求項27に記載の防汚コーティング組成物。
【請求項２９】
請求項1〜25のいずれか一項に記載の結合剤の調製方法であって、請求項1〜25のいずれか1項に記載のモノマーA’とモノマーB'とを反応させて前記結合剤を形成する工程を含む、調製方法。
【請求項３０】
汚染から物体を保護するための方法であって、汚染を被った前記物体の少なくとも一部を請求項1〜25のいずれか一項に記載のコーティング組成物でコーティングする工程と、好ましくは前記組成物を硬化させる工程とを含む、方法。
【請求項３１】
請求項1〜25のいずれか一項に記載の硬化コーティング組成物でコーティングされた物体。
【請求項３２】
汚染物放出組成物または海洋防汚コーティング組成物における使用のための、請求項1〜25のいずれか一項に記載の結合剤の使用。